(57)【特許請求の範囲】
【請求項１】
画像表示領域に光が入射される電気光学装置を実装ケース内に収納する実装ケース入り電気光学装置であって、
前記実装ケースは、
前記電気光学装置の側面及び前記実装ケースの内面を、その冷却風の通り路を構成する面として含む冷却風導通部を備え、
前記冷却風導通部は、
前記実装ケースの一側面に形成された第１の孔を前記冷却風の入口として含み、前記実装ケースの前記一側面と反対側に位置する側面に形成された第２の孔を前記冷却風の出口として含み、
前記冷却風の通り路を構成する前記実装ケースの内面に対向する前記実装ケースの外面には、冷却用のサイドフィンが備えられていることを特徴とする実装ケース入り電気光学装置。
【請求項２】
画像表示領域に光が入射される電気光学装置を実装ケース内に収納する実装ケース入り電気光学装置であって、
前記実装ケースは、
前記電気光学装置の側面を、その冷却風の通り路を構成する面として含む冷却風導通部を備え、
前記冷却風導通部は、
前記実装ケースの一側面に形成された第１の孔を前記冷却風の入口として含み、前記実装ケースの前記一側面と反対側に位置する側面に形成された第２の孔を前記冷却風の出口として含み、
前記冷却風の入口の手前に設けられ、前記冷却風を前記入口に導くと共に、前記冷却風の通り路を構成する前記実装ケースの内面に対向する前記実装ケースの外面にも導く冷却風導入部を備えることを特徴とする実装ケース入り電気光学装置。
【請求項３】
前記実装ケースは、
前記画像表示領域に対応する窓をもつ本体部と、
該本体部に接続され又は該本体部から延設されており、前記窓を介して露出する前記電気光学装置の表面に冷却風を送り出すためのテーパ部とを備えてなり、
前記冷却風導通部の入口は、
前記本体部における前記テーパ部が設けられていない部分に形成されていることを特徴とする請求項１又は２のいずれか一項に記載の電気光学装置。
【請求項４】
前記実装ケースは表面積増大手段を備えていることを特徴とする請求項１乃至３のいずれか一項に記載の電気光学装置。
【請求項５】
前記実装ケースは、前記電気光学装置の少なくとも一部と相互に接触していることを特徴とする請求項１乃至４のいずれか一項に記載の電気光学装置。
【請求項６】
画像表示領域に光が入射される電気光学装置を実装ケース内に収納する実装ケース入り電気光学装置であって、前記実装ケースは、
前記電気光学装置の側面及び前記実装ケースの内面を、その冷却風の通り路を構成する面として含む冷却風導通部を備え、前記冷却風導通部は、
前記実装ケースの一側面に形成された第１の孔を前記冷却風の入口として含み、前記実装ケースの前記一側面と反対側に位置する側面に形成された第２の孔を前記冷却風の出口として含み、
前記冷却風の出口を構成する前記実装ケースの内面に対向する前記実装ケースの外面には、冷却用のリアフィンが備えられていることを特徴とする実装ケース入り電気光学装置。
【請求項７】
画像表示領域に光が入射される電気光学装置を収納する実装ケースであって、
前記電気光学装置の側面を、その冷却風の通り路を構成する面として含む冷却風導通部とを備え、
前記冷却風導通部は、
前記実装ケースの一側面に形成された第１の孔を前記冷却風の入口として含み、
前記実装ケースの前記一側面と反対側に位置する側面に形成された第２の孔を前記冷却風の出口として含み、
前記冷却風の入口の手前に設けられ、前記冷却風を前記入口に導くと共に、前記冷却風の通り路を構成する前記実装ケースの内面に対向する前記実装ケースの外面にも導く冷却風導入部を備えることを特徴とする実装ケース。
【請求項８】
画像表示領域に光が入射される電気光学装置を収納する実装ケースであって、
前記電気光学装置の側面及び前記実装ケースの内面を、その冷却風の通り路を構成する面として含む冷却風導通部とを備え、前記冷却風導通部は、
前記実装ケースの一側面に形成された第１の孔を前記冷却風の入口として含み、
前記実装ケースの前記一側面と反対側に位置する側面に形成された第２の孔を前記冷却風の出口として含み、
前記冷却風の通り路を構成する前記実装ケースの内面に対向する前記実装ケースの外面には、冷却用のサイドフィンが備えられていることを特徴とする実装ケース。
【請求項９】
画像表示領域に光が入射される電気光学装置を収納する実装ケースであって、
前記電気光学装置の側面及び前記実装ケースの内面を、その冷却風の通り路を構成する面として含む冷却風導通部とを備え、前記冷却風導通部は、
前記実装ケースの一側面に形成された第１の孔を前記冷却風の入口として含み、
前記実装ケースの前記一側面と反対側に位置する側面に形成された第２の孔を前記冷却風の出口として含み、
前記冷却風の出口を構成する前記実装ケースの内面に対向する前記実装ケースの外面には、冷却用のリアフィンが備えられていることを特徴とする実装ケース。
【請求項１０】
請求項１乃至６のいずれか一項に記載の実装ケース入り電気光学装置と、
前記光源と、
前記光を前記電気光学装置に導く光学系と、
前記電気光学装置から出射される光を投射する投射光学系と、
前記実装ケース入り電気光学装置に対して冷却風を送出する冷却風送出手段と
を備えたことを特徴とする投射型表示装置。
【発明の詳細な説明】
【０００１】
【発明の属する技術分野】
本発明は、液晶プロジェクタ等の投射型表示装置にライトバルブとして用いられる液晶パネル等の電気光学装置を実装するための実装ケース、また該実装ケースに当該電気光学装置が実装或いは収容されてなる実装ケース入り電気光学装置、及びこのような実装ケース入り電気光学装置を備えてなる投射型表示装置の技術分野に属する。
【０００２】
【背景技術】
一般に、液晶パネルを液晶プロジェクタにおけるライトバルブとして用いる場合、該液晶パネルは、液晶プロジェクタを構成する筐体等にいわば裸の状態で設置されるのではなく、該液晶パネルを適当な実装ケースに実装ないし収容した上で、この実装ケース入り液晶パネルを、前記筐体等に設置することが行われる。これは、当該実装ケースに適当なネジ孔等を設けておくことで、液晶パネルの前記筐体等に対する固定を容易に実施することなどが可能となるからである。
【０００３】
このような液晶プロジェクタでは、光源から発せられた光源光は、当該実装ケース入り液晶パネルに対して集光された状態で投射されることになる。そして、液晶パネルを透過した光は、スクリーン上に拡大投射されて画像の表示が行われることになる。このように液晶プロジェクタにおいては、拡大投射が一般に予定されているため、前記光源光としては、例えばメタルハライドランプ等の光源から発せられる比較的強力な光が使用されることになる。
【０００４】
すると、まず、実装ケース入り液晶パネル、とりわけ液晶パネルの温度上昇が問題となる。すなわち、このような温度上昇が生じると、液晶パネル内において一対の透明基板間に挟持されている液晶の温度も上昇して、該液晶の特性劣化を招く。また特に光源光にむらがあった場合には、部分的に液晶パネルが加熱されて所謂ホットスポットが発生して、液晶の透過率のムラができて投射画像の画質が劣化する。
【０００５】
このような液晶パネルの昇温を防止する技術としては、例えば特許文献１等に開示されているものが知られている。この特許文献１では、液晶パネル及び該液晶パネルを収容保持するとともに放熱板が備えられたパッケージ（本明細書にいう「実装ケース」に該当する。）からなる液晶表示モジュールにおいて、前記液晶パネル及び前記放熱板間に放熱シートを設けることにより、液晶パネルの昇温を防止する技術が開示されている。
【０００６】
また、このような問題点に対処するため、その他にも、液晶パネルの光入射側に位置する基板に遮光膜を設けること、液晶パネルを実装あるいは収納してなる実装ケースを光反射性材料から構成すること等といった技術も知られている。
【０００７】
【特許文献１】
国際公開番号ＷＯ９８／３６３１３
【０００８】
【発明が解決しようとする課題】
しかしながら、従来における液晶パネルの昇温防止対策には次のような問題点がある。すなわち、光源光からの強力な光が投射される限り、液晶パネルの温度上昇の問題は常に顕在化するおそれがあるから、更なる高画質化等を図るためには、上記各種の対策に代えて又は加えて、より効率的な温度上昇の防止対策が要求されているという点である。
【０００９】
例えば、前記の特許文献１で開示されている放熱シートを利用する対策では、たしかに液晶パネルに蓄積されていく熱を外部へと有効に放射することが可能になるとは考えられるものの、この特許文献１では、放熱「板」或いは放熱「シート」というように、或いは特許文献１のＦｉｇ２等に示されているように、該放熱シートは、基板全面を覆うようにして設けられることが前提とされているようであるから、反射型の液晶パネルには利用できても、透過型の液晶パネルに対しては無力である。
【００１０】
また、遮光膜及び実装ケースによる光反射対策では、それらの面積を増大させれば反射光量が増大するから、たしかに液晶パネルの温度上昇の防止を相応に達成することができると考えられるものの、反射光量をむやみ増大させると、実装ケース入り液晶パネルを収納するハウジング内の迷光を増加させることとなって、画像の品質に悪影響を及ぼすことが考えられる。また、遮光膜については、その面積を広げれば広げるほど、液晶パネルに本来入射・透過されるべき光源光の量が減ることになるから、画像が暗くなってしまうことが考えられる。これでは、より明るい画像を表示しようとして、強力な光源光を用いているという趣旨に反することになる。このように、上記の対策は、抜本的に問題を解決するものとはいえない点にも問題がある。
【００１１】
本発明は、上記問題点に鑑みてなされたものであり、比較的強力な投射光が入射される電気光学装置における温度上昇を効率的に抑制可能とする、実装ケース入り電気光学装置及びこれを備えてなる投射型表示装置を提供することを課題とする。また、本発明は、このような実装ケース入り電気光学装置に使用されて好適な実装ケースを提供することをも課題とする。
【００１２】
【課題を解決するための手段】
本発明の第１の実装ケース入り電気光学装置は、上記課題を解決するため、画像表示領域に光源から投射光が入射される電気光学装置を実装ケース内に収納する実装ケース入り電気光学装置であって、前記実装ケースは、前記電気光学装置の一面に対向するように配置されるプレートと、該プレート及び前記電気光学装置を覆うように配置されるカバーと、前記電気光学装置の側面の少なくとも一部を、その冷却風の通り路を構成する面の少なくとも一部として含む冷却風導通部とを備えている。
また、本発明の第１の実装ケース入り電気光学装置は、画像表示領域に光が入射される電気光学装置を実装ケース内に収納する実装ケース入り電気光学装置であって、
前記実装ケースは、前記電気光学装置の側面を、その冷却風の通り路を構成する面として含む冷却風導通部を備え、
前記冷却風導通部は、前記実装ケースの一側面に形成された第１の孔を前記冷却風の入口として含み、前記実装ケースの前記一側面と反対側に位置する側面に形成された第２の孔を前記冷却風の出口として含むことを特徴とする。
【００１３】
本発明の第１の実装ケース入り電気光学装置によれば、画像表示領域に光源から光が入射される電気光学装置が、カバー及びプレートからなる実装ケース内に実装される。このような電気光学装置としては、例えば投射型表示装置におけるライトバルブとして実装される液晶装置或いは液晶パネルが挙げられる。なお、このような実装ケースには、電気光学装置の周辺領域を少なくとも部分的に覆うことにより、当該周辺領域における光抜けを防止したり或いは周辺領域から画像表示領域内に迷光が進入するのを防止する遮光機能を持たせてもよい。
【００１４】
そして、本発明では特に、前記実装ケースは、電気光学装置の側面の少なくとも一部を、その冷却風の通り路を構成する面の少なくとも一部として含む冷却風導通部を備えている。したがって、本発明では、冷却風導通部の通り路を風が通り抜ける際、この風は、電気光学装置の一側面から該電気光学装置の熱を奪っていくことが可能となる。
【００１５】
このように、本発明によれば、当該電気光学装置に比較的強力な投射光が入射される結果その温度が上昇しても、その冷却を効果的に実施することができるから、該電気光学装置が液晶パネル等である場合には、その液晶層が劣化することを防止することができ、また、該液晶層にホットスポットを発生させること等を未然に防止することができる。したがって、本発明に係る電気光学装置では、より高品質な画像を表示することが可能となる。
【００１６】
なお、本発明にいう「冷却風導通部」、あるいはその「通り路」の具体的構成は、種々の態様を採り得る。例えば、通り路全体の形状が直方体形状（即ち、該通り道の断面形状が矩形状）であるとすると、該直方体の第１側面が前記電気光学装置の一側面、該第１側面に対向する第２側面が前記カバーの内側面、第１側面及び第２側面に接続する第３側面が前記プレートの電気光学装置の一面に対向する面の一部、該第３側面に対向する第４側面が前記カバーの内側面に接続される面の一部により、それぞれ構成されていると考えることができる。
【００１７】
本発明の第１の実装ケース入り電気光学装置の一態様では、前記通り路を構成する面のうち前記電気光学装置の側面の少なくとも一部を含むものを除く他の面の少なくとも一部は、前記カバー及び前記プレートの少なくとも一方の内面の少なくとも一部を含む。
【００１８】
この態様によれば、前記他の面の少なくとも一部が、該電気光学装置を覆うように配置されるカバー及びプレートの少なくとも一方（以下、「カバー」に代表させる。）の内面の少なくとも一部を含むから、通り路を抜ける風は、カバーの熱を奪っていくことが可能である。したがって、カバーと電気光学装置とが相互に接するように該カバーが配置されるならば、電気光学装置の熱がカバーへと伝達し、該カバーに蓄えられていく熱が前記風によって奪われるという関係が成立し、該カバーを電気光学装置のヒートシンクとして有効に機能させることができる。そして、これによっても、電気光学装置の蓄熱の進行を防止することができるから、より高品質な画像を表示することができる。
【００１９】
以上述べた事柄は、電気光学装置の一面に対向するように配置されるプレートに関しても、全く同様にあてはまる。
【００２０】
なお、本態様にいう「内面」とは、電気光学装置の配置されている場所を視点とした場合に、実装ケースを構成するカバー及びプレートにおける視認可能な面、換言すれば電気光学装置のある一部と対向しあう実装ケースの内側を構成する面をいう。
【００２１】
本発明の第１の実装ケース入り電気光学装置の他の態様では、前記冷却風導通部は、前記カバーの一側面に形成された第１の孔を冷却風の入口として含み、前記カバーの前記一側面に対向する側面に形成された第２の孔を前記冷却風の出口として含む。
【００２２】
この態様によれば、冷却風導通部、ないしはその通り路は、冷却風の入口と出口を含むことになるから、風の行き交いがより活発に行われ得る。したがって、前述した、冷却風によって電気光学装置の側面から熱が奪われていくという該電気光学装置の直接的な冷却、或いはカバーないしプレートが冷却されることを通じて（即ち、これらがヒートシンクとして有効に機能することを通じて）電気光学装置が冷却されるという該電気光学装置の間接的な冷却のいずれもが活発に行われ得ることになる。
【００２３】
本発明の第１の実装ケース入り電気光学装置の他の態様では、前記通り路は複数存在し、そのうちの一の通り路を構成する面は、前記電気光学装置の側面の少なくとも一部を含み、別の通り路を構成する面は、前記電気光学装置の側面とは反対側の側面の少なくとも一部を含む。
【００２４】
この態様によれば、電気光学装置の両側面が通り路を構成する面の少なくとも一部を構成することになるから、該電気光学装置は該両側面から熱が奪われていくことになる。したがって、電気光学装置の直接的な冷却がより効果的に行われることになる。
【００２５】
本発明の第１の実装ケース入り電気光学装置の他の態様では、前記カバーは、前記画像表示領域に対応する窓をもつカバー本体部と、該カバー本体部に接続され又は該カバー本体部から延設されており、前記窓を介して露出する前記電気光学装置の表面に冷却風を送り出すための冷却風導入部とを備えてなり、前記冷却風導通部の入口は、前記カバー本体部における前記冷却風導入部が設けられていない部分に形成されている。
【００２６】
この態様によれば、まず、カバーが前述のような冷却風導入部を備えていることにより、電気光学装置の表面から効率的に熱を奪っていくことが可能となる。また、本態様ではこれに加えて、前記の冷却風導通部の入口が、カバー本体部における冷却風導入部が設けられていない部分に形成されている。したがって、冷却風導通部の入口を通り抜けて実装ケースの内部に入り込む冷却風を、より効率的に、電気光学装置の側面に向けて送り出すことが可能となる。
【００２７】
このように、本態様によれば、電気光学装置の表面は、冷却風導入部からカバー本体部ないしはその窓に向けて送り込まれた冷却風により冷却され、該電気光学装置の側面は、冷却風導通部を通る冷却風により冷却されることになる。したがって、電気光学装置全体の効果的な冷却を実現することができる。
【００２８】
本発明の第１の実装ケース入り電気光学装置の他の態様では、前記カバーは表面積増大手段を備えている。
【００２９】
この態様によれば、カバーに表面積増大手段が備えられていることにより、その冷却がより効果的に実現されることになる。この場合、該カバーが、前述のように電気光学装置のヒートシンクとして機能しているならば、その機能の増大を図ることができることになり、電気光学装置のより効果的な冷却を実現することができる。
【００３０】
なお、本態様にいう「表面積増大手段」は、例えば、カバーの表面に突出するように形成されたフィン、或いは表面に窪みをつけるように形成されたディンプルを含む。ちなみに、ここでいう「フィン」及び「ディンプル」の相違は、カバーの表面（前記にいう「内面」、或いはこれとは反対の「外面」のいずれをも含む。）を基準面として突出しているか、或いは凹んでいるかということにある。また、ここでいう「フィン」又は「ディンプル」は、カバー本体を形成するのに併せて又はその後に、例えば切削加工、鍛造加工、プレス加工、射出成形又は鋳造等により形成することが可能である。
【００３１】
本発明の第１の実装ケース入り電気光学装置の他の態様では、前記カバー及び前記プレートの少なくとも一方は、前記電気光学装置の少なくとも一部と相互に接触している。
【００３２】
この態様によれば、電気光学装置からカバーないしプレートへの熱の伝達が滞りなく行われることになる。したがって、電気光学装置の熱を効率的に奪うことができ、当該電気光学装置の冷却を効果的に行うことができる。また、本態様と、前述した、冷却風導通部の通り路を構成する面の少なくとも一部が、前記カバー及び前記プレートの少なくとも一方の内面の少なくとも一部を含む態様とを併せもつ構成によれば、カバー及びプレートのヒートシンクとしての機能を極めて有効に発揮させることができる。
【００３３】
本発明の第２の実装ケース入り電気光学装置は、上記課題を解決するために、画像表示領域に光源から光が入射される電気光学装置を実装ケース内に収納する実装ケース入り電気光学装置であって、前記実装ケースは、前記電気光学装置の一面に対向するように配置されるプレートと、該プレート及び前記電気光学装置を覆うように配置されるカバーと、該カバーの側面であって、且つ、当該実装ケース入り電気光学装置に向けて送り出されてくる冷却風の風上側に位置する側面に開口された冷却風導入口とを備えている。
【００３４】
本発明の第２の実装ケース入り電気光学装置によれば、前記実装ケースは、前記の第１の実装ケース入り電気光学装置と同様のプレート及びカバーを備えているとともに、該カバーの側面であって、且つ、当該実装ケース入り電気光学装置に向けて送り出されてくる冷却風の風上側に位置する側面に開口された冷却風導入口を備えている。したがって、本発明では、冷却風導入口から実装ケース内に冷却風を招き入れることが可能となり、この冷却風は、電気光学装置から熱を奪っていくことが可能となる。
【００３５】
このように、本発明によれば、当該電気光学装置に比較的強力な投射光が入射される結果その温度が上昇しても、その冷却を効果的に実施することができるから、該電気光学装置が液晶パネル等である場合には、その液晶層が劣化することを防止することができ、また、該液晶層にホットスポットを発生させること等を未然に防止することができる。したがって、本発明に係る電気光学装置では、より高品質な画像を表示することが可能となる。
【００３６】
なお、本発明にいう「冷却風導入口」は、前述の本発明の第１の実装ケース入り電気光学装置の各種態様における「第１の孔」、或いは「冷却風導入部の入口」に該当すると考えることができる。したがって、当該要素をもつ態様を、本発明の第２の実装ケース入り電気光学装置に対して適用することが可能である。
【００３７】
本発明の実装ケースは、上記課題を解決するために、画像表示領域に光源から光が入射される電気光学装置を収納する実装ケースであって、前記電気光学装置の一面に対向するように配置されるプレートと、該プレート及び前記電気光学装置を覆うように配置されるカバーと、前記電気光学装置の側面の少なくとも一部を、その冷却風の通り路を構成する面の少なくとも一部として含む冷却風導通部とを備えている。
【００３８】
本発明の実装ケースによれば、前述の本発明の実装ケース入り電気光学装置に使用されて好適な実装ケースを提供することができる。
【００３９】
本発明の投射型表示装置は、上記課題を解決するために、前述した本発明の実装ケース入り電気光学装置（但し、その各種態様を含む。）と、前記光源と、前記投射光を前記電気光学装置に導く光学系と、前記電気光学装置から出射される投射光を投射する投射光学系と、前記実装ケース入り電気光学装置に対して冷却風を送出する冷却風送出手段とを備えている。
【００４０】
本発明の投射型表示装置によれば、前述の本発明の実装ケース入り電気光学装置を具備してなるから、当該実装ケースには冷却風導通部或いは冷却風導入口が備えられていることにより、また、当該投射型表示装置には前記冷却風送出手段が設けられていることにより、電気光学装置の効果的な冷却を実現することができ、より高品質な画像を表示することが可能である。
【００４１】
本発明のこのような作用及び他の利得は次に説明する実施の形態から明らかにされる。
【００４２】
【発明の実施の形態】
以下、本発明の実施の形態を図面に基づいて説明する。
【００４３】
（投射型液晶装置の実施形態）
まず、図１を参照して、本発明による投射型液晶装置の実施形態について、その光学ユニットに組み込まれている光学系を中心に説明する。本実施形態の投射型表示装置は、実装ケース入りの電気光学装置の一例たる液晶ライトバルブが３枚用いられてなる複板式カラープロジェクタとして構築されている。
【００４４】
図１において、本実施形態における複板式カラープロジェクタの一例たる、液晶プロジェクタ１１００は、駆動回路がＴＦＴアレイ基板上に搭載された電気光学装置を含む液晶ライトバルブを３個用意し、夫々ＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応するライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂにより夫々変調された３原色に対応する光成分は、ダイクロイックプリズム１１１２により再度合成された後、投射レンズ１１１４を介してスクリーン１１２０にカラー画像として投射される。
【００４５】
本実施形態のライトバルブ１００Ｒ、１００Ｇ及び１００Ｂとしては、例えば、後述の如きＴＦＴをスイッチング素子として用いたアクティブマトリクス駆動方式の液晶装置が使用される。また、当該ライトバルブ１００Ｒ、１００Ｇ及び１００Ｂは、後に詳述するように実装ケース入り電気光学装置として構成されている。
【００４６】
また、この液晶プロジェクタ１１００には、図１に示すように、ライトバルブ１００Ｒ、１００Ｇ及び１００Ｂに冷却風を送るためのシロッコファン１３００が設けられている。このシロッコファン１３００は、その側面に複数のブレード１３０１を備えた略円筒形状の部材を含んでおり、該円筒形状の部材がその軸を中心として回転することで前記ブレード１３０１が風を生じさせるようになっている。なお、このような原理から、シロッコファン１３００で作り出される風は、図１に示されるように、らせん状に渦巻いたものとなる。
【００４７】
このような風は、図１において図示されない風路を通じて各ライトバルブ１００Ｒ、１００Ｇ及び１００Ｂに送給され、各ライトバルブ１００Ｒ、１００Ｇ及び１００Ｂの近傍に設けられた吹き出し口１００ＲＷ、１００ＧＷ及び１００ＢＷから、これらライトバルブ１００Ｒ、１００Ｇ及び１００Ｂに対して送り出されるようになっている。
【００４８】
ちなみに、前述したようなシロッコファン１３００を用いれば、静圧が高くライトバルブ１００Ｒ、１００Ｇ及び１００Ｂ周囲の狭い空間にも風を送りやすいという利点が得られる。
【００４９】
以上説明した構成においては、強力な光源たるランプユニット１１０２からの投射光により各ライトバルブ１００Ｒ、１００Ｇ及び１００Ｂで温度が上昇する。この際、過度に温度が上昇してしまうと、各ライトバルブ１００Ｒ、１００Ｇ、１００Ｂを構成する液晶が劣化したり、光源光のむらによる部分的な液晶パネルの加熱によるホットスポットの出現により透過率にムラが生じたりする。そこで、本実施形態では特に、各ライトバルブ１００Ｒ、１００Ｇ、１００Ｂは、後述のように、電気光学装置を冷却する能力を有する実装ケースを備えている。このため、後述の如く各ライトバルブ１００Ｒ、１００Ｇ、１００Ｂの温度上昇は効率的に抑制されている。
【００５０】
なお、本実施形態では好ましくは、液晶プロジェクタ１１００のハウジング内には、各ライトバルブ１００Ｒ、１００Ｇ、１００Ｂの周辺空間に、冷却媒体を流す循環装置等からなる冷却手段を備える。これにより、後述の如き放熱作用を持つ実装ケース入りの電気光学装置からの放熱を一層効率的に行うことができる。
【００５１】
（電気光学装置の実施形態）
次に本発明の電気光学装置に係る実施形態の全体構成について、図２及び図３を参照して説明する。ここでは、電気光学装置の一例である駆動回路内蔵型のＴＦＴアクティブマトリクス駆動方式の液晶装置を例にとる。本実施形態に係る電気光学装置は、上述した液晶プロジェクタ１１００における液晶ライトバルブ１００Ｒ、１００Ｇ、１００Ｂとして使用されるものである。ここに、図２は、ＴＦＴアレイ基板をその上に形成された各構成要素と共に対向基板の側から見た電気光学装置の平面図であり、図３は、図２のＨ−Ｈ’断面図である。
【００５２】
図２及び図３において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００５３】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００５４】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００５５】
画像表示領域の周辺に広がる領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿い、且つ、前記額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光膜５３に覆われるようにして複数の配線１０５が設けられている。
【００５６】
また、対向基板２０の４つのコーナー部には、両基板間の上下導通端子として機能する上下導通材１０６が配置されている。他方、ＴＦＴアレイ基板１０にはこれらのコーナーに対向する領域において上下導通端子が設けられている。これらにより、ＴＦＴアレイ基板１０と対向基板２０との間で電気的な導通をとることができる。
【００５７】
図３において、ＴＦＴアレイ基板１０上には、画素スイッチング用のＴＦＴや走査線、データ線等の配線が形成された後の画素電極９ａ上に、図示しない配向膜が形成されている。他方、対向基板２０上には、対向電極２１の他、格子状又はストライプ状の遮光膜２３、更には最上層部分に図示しない配向膜が形成されている。また、液晶層５０は、例えば一種又は数種類のネマティック液晶を混合した液晶からなり、これら一対の配向膜間で、所定の配向状態をとる。
【００５８】
尚、図２及び図３に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５９】
（実装ケース入り電気光学装置）
次に、図４から図９を参照して、本発明の実施形態に係る実装ケース入り電気光学装置について説明する。ここに図４は、本実施形態に係る実装ケースを前述した電気光学装置とともに示す分解斜視図であり、図５は当該実装ケース入りの電気光学装置の正面図であり、図６は図５のＸ１‐Ｘ１´断面図であり、図７は図５のＹ１−Ｙ１´線からみた矢視図である。また、図８は図５のＺ１方向から臨んだ前面図であり、図９は図５のＺ２方向から臨んだ後面図である。なお、図４から図９は、電気光学パネルを内部に収容した状態における実装ケースを夫々示している。
【００６０】
図４から図９に示すように、実装ケース６０１は、プレート部６１０とカバー部６２０とを備える。実装ケース６０１内に収容される電気光学装置５００は、図２及び図３に示した電気光学装置に加えて、その表面に重ねられた反射防止板等の他の光学要素とを備えてなり、更にその外部回路接続端子にフレキシブルコネクタ５０１が接続されてなる。尚、偏光板や位相差板は、液晶プロジェクタ１１００の光学系に備えるようにしても良いし、電気光学装置５００の表面に重ねてもよい。また、ＴＦＴアレイ基板１０及び対向基板２０それぞれの液晶層５０に対向しない側には、防塵用基板４００が設けられている（図４等参照）。これにより、電気光学装置５００の周囲に漂うゴミや埃等が、該電気光学装置の表面に直接に付着することが防止される。したがって、拡大投射された画像上に、これらゴミや埃の像が結ばれるという不具合を有効に解消することができる（デフォーカス作用）。
【００６１】
なお、本実施形態においては、カバー部６２０の側から光が入射し、電気光学装置５００を透過して、プレート部６１０の側から出射するということを前提とする。つまり、図１でいえば、ダイクロイックプリズム１１１２に対向するのは、カバー部６２０ではなくて、プレート部６１０ということになる。
【００６２】
以下では実装ケース６０１を構成するプレート部６１０及びカバー部６２０の構成についてのより詳細な説明を行う。
【００６３】
まず第一に、プレート部６１０は、図４に示すように、平面視して略四辺形状を有する板状の部材であって、電気光学装置５００の一面に対向するように配置される。本実施形態では、プレート部６１０と電気光学装置５００とは相互に直接に当接し、後者が前者に載置されるが如き状態が採られる。
【００６４】
より詳細には、プレート部６１０は、窓部６１５、折り曲げ部６１３、カバー部固定孔６１２、並びに取付孔６１１を有する。
【００６５】
窓部６１５は、略四辺形状を有する部材の一部が開口形状に形成されており、例えば図６中、上方から下方への光の透過を可能とする部分である。電気光学装置５００を透過してきた光の出射は、この窓部６１５によって可能となる。なお、これにより、プレート部６１０上に電気光学装置５００を載置した場合には、該電気光学装置５００における画像表示領域１０ａの周辺に位置する周辺領域が、窓部６１５の辺縁に当接されるが如き状態になる。プレート部６１０は、このようにして電気光学装置５００の保持を実現する。また、電気光学装置５００と窓部６１５の辺縁とが相互に接触していることにより、前者から後者への熱の伝達が滞りなく行われるようになる。
【００６６】
折り曲げ部６１３は、略四辺形状を有する部材の対向する二辺それぞれの一部が、該四辺形状の内側に向かって折り曲げられている部分である。この折り曲げ部６１３の外側面は、プレート部６１０及びカバー部６２０の組み付け時、該カバー部６２０の内側面に接するようにされている（図６参照）。これにより、電気光学装置５００からプレート部６１０へと伝わった熱は、この折り曲げ部６１３を介してカバー部６２０へと伝達可能となっている。
【００６７】
カバー部固定孔６１２は、カバー部６２０において対応する位置に形成された凸部６２１と嵌合するための孔部である。プレート部６１０及びカバー部６２０とは、このカバー部固定孔６１２及び凸部６２１が互いに嵌合することによって相互に固定される。なお、本実施形態においては、該カバー部固定孔６１２は、各図に示すように、二つの孔部からなる（以下、これらの区別が必要な場合には、カバー部固定孔６１２ａ及び６１２ｂと呼ぶことがある。）。また、これに対応するように、前記凸部６２１もまた、二つの凸部からなる（以下、これらの区別が必要な場合には、凸部６２１ａ及び６２１ｂと呼ぶことがある。）。
【００６８】
取付孔６１１ａ乃至６１１ｄは、当該実装ケース入り電気光学装置を、図１に示した如き液晶プロジェクタ１１００内に取り付けする際に利用される。本実施形態においては、該取付孔６１１ａ乃至６１１ｄは、略四辺形状を有する部材の四隅に設けられている。また、本実施形態では、該取付孔６１１ａ乃至６１１ｄの他に、取付孔６１１ｅが設けられている。この取付孔６１１ｅは、前記の取付孔６１１ａ乃至６１１ｄのうち、取付孔６１１ｃ及び６１１ｄとともに、三角形を形作るように配置されている（すなわち、取付孔６１１ｅ、６１１ｃ及び６１１ｄは、三角形の「各頂点」に配置されるように形成されている。）。これにより、本実施形態では、四隅の取付孔６１１ａ乃至６１１ｄを用いた四点固定を実施すること、及び、取付孔６１１ｅ、６１１ｃ及び６１１ｄを用いた三点固定を実施することの双方が可能となっている。
【００６９】
次に第二に、カバー部６２０は、図４から図９に示すように、略立方体形状を有する部材であって、電気光学装置５００のプレート部６１０が面する面とは逆側の面に対向するように配置される。
【００７０】
このカバー部６２０は、電気光学装置５００の周辺領域における光抜けを防止すると共に周辺領域から迷光が画像表示領域１０ａ内に進入するのを防ぐように、好ましくは遮光性の樹脂、金属製等からなる。また、該カバー部６２０は、プレート部６１０、或いは電気光学装置５００に対するヒートシンクとして機能させることが好ましいから、該カバー部６２０は、熱伝導率の比較的大きい材料、より具体的には、アルミニウム、マグネシウム、銅又はこれらそれぞれの合金等から構成するようにするとよい。
【００７１】
より詳細には、カバー部６２０は、凸部６２１、冷却風導入部６２２、冷却風排出部６２４及びカバー本体部６２３を有する。まず、凸部６２１は、既に述べたように、プレート部６１０との固定の際に用いられ、前記カバー部固定孔６１２ａ及び６１２ｂそれぞれに対応する位置に、二つの凸部６２１ａ及び６２１ｂを含むものとして形成されている。なお、本実施形態に係る凸部６２１は、図５に示されるように、冷却風導入部６２２、ないしは後述するテーパ部６２２Ｔの一部を構成するようにして形成されている（図５の視点からは、本来凸部６２１は図示されないが、図５では特にこれを示した。）。
【００７２】
カバー本体部６２３は、図４から図９に示されているように、概略、直方体形状を有する部材であって、後述する冷却風導入部６２２及び冷却風排出部６２４間に挟まれるようにして存在している。ただし、前記の直方体形状の内方は、電気光学装置５００を収容するため、いわばくり抜かれたような状態となっている。すなわち、カバー本体部６２３は、より正確にいえば、蓋なき箱型の如き形状を有する部材となっている（なお、このような表現によれば、ここにいう「蓋」としては、前記プレート部６１０が該当すると考えることができる。）。
【００７３】
このカバー本体部６２３は、より詳細には、窓部６２５、サイドフィン部６２８及び冷却風導通部６２３Ｈを有している。このうち窓部６２５は、前記箱型の形状の底面（図４、あるいは図６等では、「上面」ということになる。）に開口形状に形成されており、図６中、上方から下方への光の透過を可能とする部分である。図１に示した液晶プロジェクタ１１００内のランプユニット１１０２から発せられた光は、この窓部６２５を通過して電気光学装置５００に入射可能となる。なお、窓部６２５の辺縁は、前記のプレート部６１０の窓部６１５の辺縁と同様、電気光学装置５００の周辺領域に当接している。これにより、電気光学装置５００からカバー部６２０への熱の伝達が滞りなく行われるようになる。
【００７４】
他方、サイドフィン部６２８は、カバー本体部６２３の両側面に形成されている。ここにいう両側面とは、後述する冷却風導入部６２２及び冷却風排出部６２４が存在しない側面のことを指す。このサイドフィン部６２８は、より詳しくは、図４、あるいは図６等によく示されているように、冷却風導入部６２２から冷却風排出部６２４へ向けて前記側面から直線状に突出した部分が千鳥足状に配列された形状を含んでいる。これにより、カバー本体部６２３、ないしはカバー部６２０の表面積は増大することになる。
【００７５】
そして、本実施形態においては特に、カバー本体部６２３に冷却風導通部６２３Ｈが備えられているが、この点については後に改めて説明することとする。
【００７６】
なお、既に述べたように、カバー部６２０の内側面には、カバー部６２０及びプレート部６１０の組み付け時、プレート部６１０における折り曲げ部６１３の外側面が接するようにされている（図６参照）。これにより、電気光学装置５００における熱は、プレート部６１０ないしは折り曲げ部６１３、そしてカバー部６２０へと効率的に伝達されるようになっている。
【００７７】
冷却風導入部６２２は、図４、或いは図７等によく示されているように、テーパ部６２２Ｔ及び導風板６２２Ｐからなる。本実施形態において、テーパ部６２２Ｔは、概略、その底面が直角三角形となる三角柱の如き外形を有している。そして、テーパ部６２２Ｔは、カバー本体部６２３の一側面に、前記三角柱の一側面が付着されたような外形を呈している。この場合、当該三角柱の一側面は、該三角柱の底面における直角部とこれに隣接する角部との間に挟まれた辺を含んでいる。したがって、テーパ部６２２Ｔは、カバー本体部６２３の側面上において最大高さとなる根元部６２２Ｔ１を有し（ただし、ここでいう「高さ」とは、図７中、上下方向の距離をいう。）、そこから次第に高さを減じた先端部６２２Ｔ２を有するという形状となっている。一方、導風板６２２Ｐは、前記三角柱の底面において直角部を除く他の二角に挟まれた一辺に沿って立設された壁の如き外形を呈している。前記「高さ」を用いて説明すると、該導風板６２２Ｐの高さは、前記根元部６２２Ｔ１から前記先端部６２２Ｔ２へ向けてテーパ部６２２Ｔの高さが減ずるにもかかわらず、これら根元部６２２Ｔ１及び先端部６２２Ｔ２間のどの部分においても一定である。
【００７８】
最後に、冷却風排出部６２４は、図４、図５、或いは図９等によく示されているように、リアフィン部６２４Ｆからなる。リアフィン部６２４Ｆは、より詳しくは、図４、図５、或いは図９等によく示されているように、前述した千鳥足状のサイドフィン部６２８が延在する方向と符号を合わせるように、直線状に突出した部分が複数並列（図９等では、「四つ」の直線状に突出した部分が並列）された形状を含んでいる。これにより、カバー部６２０の表面積は増大することになる。
【００７９】
以上のように、カバー部６２０は、カバー本体部６２３、冷却風導入部６２２及び冷却風排出部６２４を備えているが、本実施形態においては特に、カバー本体部６２３に冷却風導通部６２３Ｈが備えられている。冷却風導通部６２３Ｈは、図４、或いは図８、図７及び図９によく示されているように、冷却風入口６２３Ｈ１（図８）、通り路６２３Ｈ２（図７）及び冷却風出口６２３Ｈ３（図９）からなる。冷却風入口６２３Ｈ１は、図８に示されているように、テーパ部６２２Ｔの図中両側方におけるカバー本体部６２３の側面に形成されている。また、冷却風出口６２３Ｈ３は、図９に示されているように、図中下半分におけるカバー本体部６２３の側面に形成されている。ちなみに、電気光学装置５００に接続されたフレキシブルコネクタ５０１は、冷却風出口６２３Ｈ２から、外部へと引き出されるようになっている。なお、図８及び図９から明らかなように、冷却風入口６２３Ｈ１及び冷却風出口６２３Ｈ３は、相互に対向し合うカバー本体部６２３の両側面に形成されている。
【００８０】
そして、通り路６２３Ｈ２は、冷却風入口６２３Ｈ１と冷却風出口６２３Ｈ３との間に形成されている。この通り路６２３Ｈ２は、カバー本体部６２３の内方がくり抜かれている部分の一部に対応している。本実施形態においては、冷却風入口６２３Ｈ１が、図９に示すように、二つ設けられていることに対応して、通り路６２３Ｈ２も二つ設けられているとみることができる。
【００８１】
また、このような通り路６２３Ｈ２は、より詳細には次のような構成を備えている。まず、前記のように二つ存在する通り路６２３Ｈ２のうちの一つに着目すると、その大まかな形状は、図７に示すように略直方体形状を有しているとみることができる（図中太い破線参照）。そして、この略直方体形状を有する通り路６２３Ｈ２は、図６でみて、その上面がカバー本体部６２３の内面で構成され、該上面に対向する図６中下面がプレート部６１０の内面で構成されている。他方、図６において右側の通り路６２３Ｈ２の、図６中右面は、プレート部６１０の折り曲げ部６１３の内側面により構成されており、これとは反対側の図６中左面は、電気光学装置５００の図６中右側面により構成されている。図６において左側の通り路６２３Ｈ２については、前記の左右の関係を逆にした関係が同様に成立する。すなわち、電気光学装置５００の両側面は、いずれも通り路６２３を構成する面を構成しているということができる。
【００８２】
カバー部６２０が以上のような構成をとることにより、図１に示した如き液晶プロジェクタ１１００に備えられたシロッコファン１３００から送られてきた風は、実装ケース６０１、ないしカバー部６２０において、図１０及び図１１に示すように流れることになる。ここに図１０は実装ケース入り電気光学装置の斜視図であって、当該実装ケース入り電気光学装置に対する典型的な風の流れ方を示す図である。また、図１１は、図５と同趣旨の図であるが、冷却風導通部６２３Ｈの中を流れる冷却風を特に示すための説明図である。なお、図１に示した液晶プロジェクタ１１００において、図１０及び図１１に示すような冷却風の流れを実現するためには、図１を参照して説明した吹き出し口１００ＲＷ、１００ＧＷ及び１００ＢＷが、カバー６２０を構成する冷却風導入部６２２と対向するように、実装ケース入り電気光学装置、すなわちライトバルブ１００Ｒ、１００Ｇ及び１００Ｂを設置する必要がある。
【００８３】
まず、本実施形態に係る実装ケース６０１の外側においては、図１０に示す冷却風Ｗ１、Ｗ２及びＷ３等のような風の流れが実現されることになる。これにより、まず、電気光学装置５００が効果的に冷却されることになる。これは、冷却風導入部６２２のテーパ部６２２Ｔをあたかも駆け上がるようにして、カバー本体部６２３へと冷却風が吹き抜けるようになっていること（符号Ｗ１参照）、また、冷却風導入部６２２には導風板６２２Ｐが設けられていることにより、冷却風がどの方向からきても、その大部分をテーパ部６２２Ｔ上、ひいてはカバー本体部６２３へと導くことが可能となっていること（符号Ｗ２参照）による。冷却風Ｗ１及びＷ２は、窓６２５を介して露出する電気光学装置５００の表面（即ち、画像表示領域１０ａに該当する電気光学装置５００の表面）から熱を奪っていくことになる。このように、本実施形態によれば、カバー本体部６２３へ向けて冷却風を効率よく送り出すことが可能となっていることから、電気光学装置５００で発生した熱を直接的に奪う（即ち、冷却する）ことが可能となるのである。
【００８４】
他方、本実施形態では、当該カバー本体部６２３ないしカバー部６２０の効率的な冷却を実現することができる。これは、冷却風導入部６２２の導風板６２２Ｐの外側（すなわち、テーパ部６２２Ｔに対向しない側）にあたった風（符号Ｗ３参照）、或いは前記のように電気光学装置５００の表面ないしその近傍に至った後、カバー本体部６２３の側面に流れる風等が、カバー部６２０の表面積を増大するサイドフィン部６２８に至り、或いは前記の冷却風Ｗ１及びＷ２等が、同じくカバー部６２０の表面積を増大するリアフィン部６２４Ｆに至ることによる。そして、このようにカバー部６２０が効果的に冷却されることは、前述のように電気光学装置５００、プレート部６１０及びカバー部６２０の順に伝達される熱、或いは電気光学装置５００からプレート部６１０を介さずにカバー部６２０へと伝達される熱を、最終的に外部へと放散するのに非常に有効である。また、カバー部６２０が効率的に冷却されるということは、前記の熱の伝達を、いつでも有効に維持しうることを意味する。すなわち、カバー部６２０は、常態において好適に冷却された状態にあるから、ヒートシンクとしての機能をいつでも有効に維持することにより、該カバー部６２０からみて、プレート部６１０からの熱の奪取、ひいては電気光学装置５００からの熱の奪取をいつでも有効に行い得るのである。
【００８５】
そして、本実施形態においては特に、カバー本体部６２３に冷却風導通部６２３Ｈが形成されていることにより、図１０或いは図１１に示すように、カバー部６２０の内部にも冷却風を吹きぬかせることが可能となっている（図中符号ＷＤ参照）。すなわち、冷却風導入部６２２に向かって吹いてきた冷却風ＷＤは、冷却風入口６２３Ｈ１からカバー本体部６２３の内部に入り、通り路６２３Ｈ２を抜けて、冷却風出口６２３Ｈ３からカバー本体部６２３の外部へ抜けるという流れ方をする。この際、通り路６２３Ｈ２を構成する面の一部は、前記のように電気光学装置５００の両側面を含んでいるから（図６参照）、冷却風ＷＤは、当該電気光学装置５００を直接的に冷却することになる。
【００８６】
しかも、本実施形態では、冷却風入口６２３H１が二つ存在することに対応して通り路６２３H２が二つ存在し、これにより、電気光学装置５００の両側面を冷却することが可能となっているから、前記の作用効果は更に効果的に発揮されることになる。
【００８７】
また、通り路６２３Ｈ２を構成する面の他の一部は、前記のようにプレート部６１０、或いはカバー部６２０の内面の一部を含んでいるから、冷却風ＷＤは、これらプレート部６１０及びカバー部６２０も冷却する。そして、プレート部６１０及びカバー部６２０の冷却が行われれば、これらが電気光学装置５００のヒートシンクとしてよりよく機能することになるから、該電気光学装置５００をより効果的に冷却することが可能となるのである。
【００８８】
更に加えて、本実施形態では、冷却風導通部６２３Ｈは、カバー本体部６２３Ｈの相互に対向し合う両側面に冷却風入口６２３Ｈ１及び冷却風出口６２３Ｈ２を備えていることにより、電気光学装置５００、或いはカバー部６２０ないしはプレート部６１０を冷却した冷却風は、冷却風出口６２３Ｈ２から速やかに実装ケース６０１の外部へ吹き出されるとともに、冷却風入口６２３Ｈ１からは常に新鮮な冷却風が送り込まれるようになっている。すなわち、冷却風の行き交いがより活発に行われ得るようになっているから、前記の作用効果は更に効果的に発揮されることになる。
【００８９】
以上のように、本実施形態によれば、電気光学装置５００が過剰に熱を蓄えこむということがないから、液晶層５０の劣化、あるいはホットスポットの発生等は未然に防止されることになり、これに基づく画像の劣化等を招くおそれは極めて低減されることになる。
【００９０】
本発明は、上述した実施形態に限られるものではなく、請求の範囲及び明細書全体から読み取れる発明の要旨、あるいは思想に反しない範囲で適宜変更可能であり、そのような変更を伴う実装ケース入り電気光学装置及び投射型表示装置並びに実装ケースもまた、本発明の技術的範囲に含まれるものである。電気光学装置としては液晶パネルの他に、電気泳動装置やエレクトロルミネッセンス装置等にも適用できる。
【図面の簡単な説明】
【図１】  本発明に係る投射型液晶装置の実施形態の平面図である。
【図２】  本発明に係る電気光学装置の実施形態の平面図である。
【図３】  図２のＨ−Ｈ′断面図である。
【図４】  本発明の第１の実施形態に係る実装ケースを、電気光学装置とともに示す分解斜視図である。
【図５】  本発明の実施形態に係る実装ケース入り電気光学装置の正面図である。
【図６】  図５のＸ１−Ｘ１´断面図である。
【図７】  図５のＹ１−Ｙ１´断面からみた矢視図である。
【図８】  図５のＺ１方向から臨んだ前面図である。
【図９】  図５のＺ２方向から臨んだ後面図である。
【図１０】  実装ケース入り電気光学装置の斜視図であって、当該実装ケース入り電気光学装置に対する典型的な風の流れ方を示す図である。
【図１１】  図５と同趣旨の図であるが、冷却風導通部を流れる冷却風を特に示すための説明図である。
【符号の説明】
１０…ＴＦＴアレイ基板、２０…対向基板、５０…液晶層、５００…電気光学装置
６０１…実装ケース、６１０…プレート部
６２０…カバー部
６２２…冷却風導入部、６２２Ｔ…テーパ部、６２２Ｐ…導風板
６２３…カバー本体部、６２８…サイドフィン部、６２３Ｈ…冷却風導通部、６２３Ｈ１…冷却風入口、６２３Ｈ２…通り路、６２３Ｈ３…冷却風出口
６２４…冷却風排出部、６２４Ｆ…リアフィン部
１００Ｒ、１００Ｇ、１００Ｂ…ライトバルブ、１１００…液晶プロジェクタ、
１１０２…ランプユニット、１３００…シロッコファン
【図１】
0003707480.tif 000002
【図２】
0003707480.tif 000003
【図３】
0003707480.tif 000004
【図４】
0003707480.tif 000005
【図５】
0003707480.tif 000006
【図６】
0003707480.tif 000007
【図７】
0003707480.tif 000008
【図８】
0003707480.tif 000009
【図９】
0003707480.tif 000010
【図１０】
0003707480.tif 000011
【図１１】
0003707480.tif 000012